(57)【要約】【課題】  既に登録されている登録フォーマット画像と見開き原稿の第一面画像及び第二面画像を合成コピーする際に効率良く得る画像形成装置を提供する。【解決手段】  原稿搬送装置にセットされた原稿を搬送する手段、搬送された原稿から原稿画像を読み取る手段、読み取った画像を記憶する手段を有した画像形成装置に於いて既にフォーマット画像として登録されている登録フォーマット画像１０１と見開き原稿画像（１０２〜１０５）を重ね合わせて画像形成する事を特徴とする。【選択図】  図１０
2005151420.tif 000002
【特許請求の範囲】
【請求項１】
原稿搬送装置にセットされた原稿を搬送する手段、搬送された原稿から原稿画像を読み取る手段、読み取った画像を記憶する手段を有した画像形成装置に於いて既にフォーマット画像として登録されている登録フォーマット画像と見開き原稿画像を重ね合わせて画像形成する事を特徴とする画像形成装置。
【請求項２】
請求項１の画像形成装置に於いて、既にフォーマット画像として登録されている登録フォーマット画像と見開き原稿画像を重ね合わせて画像形成する際に、片面に生成する（見開き原稿→片面）事を特徴とする画像形成装置。
【請求項３】
請求項１の画像形成装置に於いて、既にフォーマット画像として登録されている登録フォーマット画像と見開き原稿画像を重ね合わせて画像形成する際に、両面に生成する（見開き原稿→両面）事を特徴とする画像形成装置。
【請求項４】
請求項１の画像形成装置に於いて、既にフォーマット画像として登録されている登録フォーマット画像と見開き原稿画像を重ね合わせて画像形成する際に、第一面画像若しくは第二面画像を回転して合成するための画像回転角度を設定する手段を有した事を特徴とする画像形成装置。
【請求項５】
請求項４の画像形成装置に於いて、既にフォーマット画像として登録されている登録フォーマット画像と見開き原稿画像を重ね合わせて画像形成する際に、第一面画像を指定された画像回転分、画像を回転して第二面画像と重ね合わせて画像形成する事を特徴とする画像形成装置。
【請求項６】
請求項４の画像形成装置に於いて、既にフォーマット画像として登録されている登録フォーマット画像と見開き原稿画像を重ね合わせて画像形成する際に、第二面画像を指定された画像回転分、画像を回転して第一面画像と重ね合わせて画像形成する事を特徴とする画像形成装置。
【発明の詳細な説明】
【技術分野】
【０００１】
本発明は、登録フォーマット画像合成機能を有した画像形成装置に関する。
【背景技術】
【０００２】
デジタル画像形成装置では、読み取り原稿画像を編集する色々な機能が存在する。また、近年、環境資源の問題で、２枚の原稿を１枚に集約コピーして、用紙を節約する事もしている。こうした状況で、原稿として集約原稿言い換えれば見開き原稿が増えつつある事も事実である。
【０００３】
ところで、複数原稿を画像合成してコピーする合成機能は現状機械でも搭載されており、デジタルならではの機能として使用されている。片面原稿２枚を合成する２枚合成機能、１枚目原稿と２枚目以降の原稿画像を合成する１枚目フォーマット合成機能、登録されている登録フォーマット画像と原稿画像を合成する登録フォーマット合成等が存在する。
【０００４】
しかしながら、登録フォーマット合成機能に於いては片面原稿から合成する機能しか存在せず、見開き原稿の第一面画像及び第二面画像を登録フォーマット画像と合成する機能は存在しない、よって現状では見開き原稿を一旦、片面コピーし、登録フォーマット画像と合成する方法しか無かった。
【０００５】
画像合成とは少し異なった集約コピーでは、両面原稿を片面に集約コピーする機能が存在している（特許文献１参照）。
【特許文献１】特開平５−３４７７０１号公報
【発明の開示】
【発明が解決しようとする課題】
【０００６】
本発明では既に登録されている登録フォーマット画像と見開き原稿の第一面画像及び第二面画像を合成コピーする際に効率良く得る画像形成装置を提供する事を目的とする。
【課題を解決するための手段】
【０００７】
上記目的を達成するため、請求項１に記載の発明は、原稿搬送装置にセットされた原稿を搬送する手段、搬送された原稿から原稿画像を読み取る手段、読み取った画像を記憶する手段を有した画像形成装置に於いて既にフォーマット画像として登録されている登録フォーマット画像と見開き原稿画像を重ね合わせて画像形成する事を特徴とする。
【０００８】
請求項１に記載の発明によれば、原稿搬送装置にセットされた原稿を搬送する手段、搬送された原稿から原稿画像を読み取る手段、読み取った画像を記憶する手段を有した画像形成装置に於いて既にフォーマット画像として登録されている登録フォーマット画像と見開き原稿画像を重ね合わせて画像形成するので、原稿が見開き原稿の場合でも登録フォーマット画像と第一面、第二面の画像を合成コピーする事が出来る。
【０００９】
請求項２に記載の発明は、請求項１の画像形成装置に於いて、既にフォーマット画像として登録されている登録フォーマット画像と見開き原稿画像を重ね合わせて画像形成する際に、片面に生成する（見開き原稿→片面）事を特徴とする。
【００１０】
請求項２に記載の発明によれば、請求項１の画像形成装置に於いて、既にフォーマット画像として登録されている登録フォーマット画像と見開き原稿画像を重ね合わせて画像形成する際に、片面に生成する（見開き原稿→片面）事を特徴とするので、原稿が見開き原稿の場合でも登録フォーマット画像と第一面、第二面の画像を合成コピーする事が出来る。
【００１１】
請求項３に記載の発明は、請求項１の画像形成装置に於いて、既にフォーマット画像として登録されている登録フォーマット画像と見開き原稿画像を重ね合わせて画像形成する際に、両面に生成する（見開き原稿→両面）事を特徴とする。
【００１２】
請求項３に記載の発明によれば、請求項１の画像形成装置に於いて、既にフォーマット画像として登録されている登録フォーマット画像と見開き原稿画像を重ね合わせて画像形成する際に、両面に生成する（見開き原稿→両面）事を特徴とするので、原稿が見開き原稿の場合でも登録フォーマット画像と第一面、第二面の画像を合成コピーし、両面コピーする事が出来る。
【００１３】
請求項４に記載の発明は、請求項１の画像形成装置に於いて、既にフォーマット画像として登録されている登録フォーマット画像と見開き原稿画像を重ね合わせて画像形成する際に、第一面画像若しくは第二面画像を回転して合成するための画像回転角度を設定する手段を有した事を特徴とする。
【００１４】
請求項４に記載の発明によれば、請求項１の画像形成装置に於いて、既にフォーマット画像として登録されている登録フォーマット画像と見開き原稿画像を重ね合わせて画像形成する際に、第一面画像若しくは第二面画像を回転して合成するための画像回転角度を設定する手段を有した事を特徴とするので、原稿が見開き原稿の場合、画像合成する際に自由に画像を合成する事が出来る。
【００１５】
請求項５に記載の発明は、請求項４の画像形成装置に於いて、既にフォーマット画像として登録されている登録フォーマット画像と見開き原稿画像を重ね合わせて画像形成する際に、第一面画像を指定された画像回転分、画像を回転して第二面画像と重ね合わせて画像形成する事を特徴とする。
【００１６】
請求項５に記載の発明によれば、請求項４の画像形成装置に於いて、既にフォーマット画像として登録されている登録フォーマット画像と見開き原稿画像を重ね合わせて画像形成する際に、第一面画像を指定された画像回転分、画像を回転して第二面画像と重ね合わせて画像形成する事を特徴とするので、原稿が見開き原稿の場合、画像合成する際に自由に画像を合成する事が出来る。
【００１７】
請求項６に記載の発明は、請求項４の画像形成装置に於いて、既にフォーマット画像として登録されている登録フォーマット画像と見開き原稿画像を重ね合わせて画像形成する際に、第二面画像を指定された画像回転分、画像を回転して第一面画像と重ね合わせて画像形成する事を特徴とする。
【００１８】
請求項６に記載の発明によれば、請求項４の画像形成装置に於いて、既にフォーマット画像として登録されている登録フォーマット画像と見開き原稿画像を重ね合わせて画像形成する際に、第二面画像を指定された画像回転分、画像を回転して第一面画像と重ね合わせて画像形成する事を特徴とするので、原稿が見開き原稿の場合でも、裏面画像の方向を自由に設定して合成コピーする事が出来る。
【発明の効果】
【００１９】
本発明によれば、既に登録されている登録フォーマット画像と見開き原稿の第一面画像及び第二面画像を合成コピーする際に効率良く得ることができる。
【発明を実施するための最良の形態】
【００２０】
以下、本発明を実施するための最良の形態を図面を参照して説明する。
【００２１】
図１は、本発明の１実施例を示す画像形成装置の概略図であり、図２は操作部の概略図、図３はＬＣＤ表示部の概略図、図４（ａ）は図３での原稿キー（３１２）を押下した場合の子画面、図４（ｂ）は図３で登録フォーマット合成キー（３１０）を押下した場合の子画面である。図５は本実施形態の画像形成装置の概略ブロック図、図６はＩＰＵ（５２）の概略ブロック図、図７は図６の画像処理部（６５）、ＭＳＵ（６６）との概略構成ブロック図、図８はスキャナで読み込んだ画像データをメモリに格納する説明図、図９はＨＤＤから画像データを読み込み、メモリに保存し、伸張、変倍をして出力する説明図、図１０は本実施形態を説明するための概略説明図である。
【００２２】
図１に本実施形態の画像形成装置を示す。画像形成動作の概略を説明すると、自動原稿送り装置（以後ＡＤＦ）１−１の原稿台１−２に原稿の画像面を上にして置かれた原稿束は、操作部上のスタートキー２５が押下されると、一番下の原稿から給送ローラ１−３、給送ベルト１−４によって、コンタクトガラス１−６上の所定の位置に給送される。読み取りユニット１−５０によってコンタクトガラス１−６上の原稿の画像データを読み取り後、読み取りが終了した原稿は、給送ベルト１−４及び排送ローラ１ー５によって排出される。さらに、原稿セット検知１−７にて原稿台１−２に次の原稿が有ることを検知した場合、前原稿と同様にコンタクトガラス１−６上に給送される。給送ローラ１−３、給送ベルト１−４、排送ローラ１−５は搬送モータ１−２６によって駆動される。
【００２３】
第１トレイ１−８、第２トレイ１−９、第３トレイ１−１０に積載された転写紙は、各々第１給紙装置１−１１、第２給紙装置１−１２、第３給紙装置１−１３によって給紙され、縦搬送ユニット１−１４によって感光体１−１５に当接する位置まで搬送される。読み取りユニット１−５０にて読み込まれた画像データは、書き込みユニット１−５７からのレーザーによって感光体１−１５に書き込まれ、現像ユニット１−２７を通過することによってトナー像が形成される。そして、転写紙は感光体１−１５の回転と等速で搬送ベルト１−１６によって搬送されながら、感光体１−１５上のトナー像が転写される。その後、定着ユニット１−１７にて画像を定着させ、排紙ユニット１−１８によって機外に排出される。
【００２４】
転写紙の両面に画像を作像する場合は、各給紙トレイ１−８〜１０から給紙され作像された転写紙を排紙トレイ１−１９側に導かないで、経路切り替えの為の分岐爪１−１１２を上側にセットする事で、一旦両面給紙ユニット１−１１１にストックする。その後、両面給紙ユニット１−１１１にストックされた転写紙は再び感光体１−１５に作像されたトナー画像を転写するために、両面給紙ユニット１−１１１から再給紙され、経路切り替えの為の分岐爪１−１１２を下側にセットし、後処理装置１−１１４を使用するモードがセットされている場合は経路切り替えの為の分岐爪１−１１３を上側にセットする事で、後処理装置１−１１４に転写紙を排紙する事が出来、後処理装置を使用しないモードの場合は上記切り替えの分岐爪１−１１３を下側にセットする事で排紙トレイ１−１９に導く。
【００２５】
この様に転写紙の両面に画像を作成する場合に両面給紙ユニット１−１１１は使用される。
【００２６】
図２は、操作部を示した図である。
【００２７】
操作部には、液晶タッチパネル２１、テンキー２２、クリア／ストップキー２６、プリントキー２５、モードクリアキー２４があり、液晶タッチパネル２１には、図３に示すように、各モード機能キー（３１〜３１２）、部数（３１５、３１６）、倍率３１７及び画像形成装置の状態３１４を示すメッセージなどが表示されると同時に各画像形成モードを設定、解除する場合に操作するモードキーが配置している。本実施形態で説明する登録フォーマット合成キー（３１０）も配置している。
【００２８】
図４は原稿キー３１２を押下した場合の子画面で、４１１は見開き原稿を片面にコピーする見開き片面キーであり、４１２は見開き原稿を両面にコピーする見開き両面キーである。
【００２９】
図５はメインコントローラ（ＭＣＵ）５１を中心に、制御装置のブロック図を図示したものである。ＭＣＵ５１は画像形成装置全体を制御する。ＭＣＵ５１には、オペレータに対する表示、オペレータからの機能設定入力制御を行う操作部５３、スキャナの制御、原稿画像を画像メモリに書き込む制御、画像メモリからの作像を行う制御等を行う画像処理ユニット（ＩＰＵ）５２、原稿自動送り装置（ＡＤＦ）５７、後処理制御装置であるソータ５８、等の分散制御装置が接続されている。
【００３０】
各分散制御装置とＭＣＵ５１は必要に応じて機械の状態、動作司令のやりとりを行っている。
【００３１】
また、紙搬送等に必要なメインモータ、各種クラッチもＩ／Ｏボード５６に接続されており、ＭＣＵによって、制御されている。
【００３２】
図１を用いて、本実施形態における画像読み取り手段、および画像を記録面上に潜像形成するまでの動作を説明する。
【００３３】
潜像とは感光体面上に画像を光情報に変換して照射することにより生じる電位分布である。
【００３４】
読み取りユニット１−５０は、原稿を載置するコンタクトガラス１−６と光学走査系で構成されており、光学走査系には、露光ランプ１−５１、第１ミラー１−５２、レンズ１−５３、ＣＣＤイメージセンサ１−５４等々で構成されている。露光ランプ１−５１及び第１ミラー１−５２は図示しない第１キャリッジ上に固定され、第２ミラー１−５５及び第３ミラー１−５６は図示しない第１キャリッジ上に固定されている。原稿像を読み取る時には、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ１−５４によって読み取られ、電気信号に変換されて処理される。
【００３５】
書き込みユニット１−５７はレーザ出力ユニット１−５８、結像レンズ１−５９、ミラー１−６０で構成され、レーザ出力ユニット１−５８の内部には、レーザ光源であるレーザダイオード及びモータによって高速で定速回転する回転多面鏡（ポリゴンミラー）が備わっている。
【００３６】
レーザ出力ユニット１−５８より照射されるレーザ光は、定速回転するポリゴンミラーで偏光され、結像レンズ１−５９を通り、ミラー１−６０で折り返され、感光体面上に集光結像する。
【００３７】
偏光されたレーザ光は感光体１−１５が回転する方向と直行する方向（主走査方向）に露光走査され、後述する画像処理部のセレクタ７Ｂより出力された画像信号のライン単位の記録を行う。感光体１−１５の回転速度と記録密度に対応した所定の周期で主走査を繰り返すことによって、感光体面上に画像（静電潜像）が形成される。
【００３８】
上述のように、書き込みユニット１−５７から出力されるレーザ光が、画像作像系の感光体１−１５に照射される。図示しないが感光体１−１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３９】
本実施例における画像処理部（ＩＰＵ）５２の構成について、図６を用いて説明する。露光ランプ１−５１から照射された光は原稿面を照射し、原稿面からの反射光を、ＣＣＤイメージセンサ１−５４にて結像レンズ（図示せず）により結像、受光して光電変換し、Ａ／Ｄコンバータ６２にてデジタル信号に変換する。デジタル信号に変換された画像信号は、シェーディング補正６３がなされた後、画像処理部６４にてフィルタ補正、変倍色データ膨張、γ補正等がなされる。
【００４０】
画像処理部６５では、画像信号の送り先を、画像メモリコントローラ（ＭＳＵ）６６又は書き込みユニット６１０への切り替えが行われる。画像メモリコントローラ（ＭＳＵ）６６と画像処理部６５は、双方向に画像信号を入出力可能な構成となっている。図６には特に明示していないが、画像処理部（ＩＰＵ）には、読み取り部１−５０から入力される画像データ以外にも外部から供給される画像データ（例えばパーソナルコンピュータ等のデータ処理装置から出力されるデータ）も処理できるよう、複数データの入出力選択を行う機能を有している。
【００４１】
画像メモリコントローラ６６等への設定や、読み取り部１−５０、書き込み部１−５７の制御を行うＣＰＵ６７、及びそのプログラムやデータを格納するＲＯＭ６９、ＲＡＭ６８を備えている。更にＣＰＵ６７は、画像メモリコントローラ６６を介して、画像メモリ８３のデータの書き込み、読み出しが行える。
【００４２】
図７は図６に於ける画像処理部６５の内部を説明するブロック図であり、画像処理部６４より画像処理された画像データを読み込み時に、領域をマスクするスキャナマスク７１を介してモードに応じて色変換が必要な場合は、色変換７２処理、色消去７３処理、画像反転７４処理、ページや、日付け、特殊文字等を印字合成７５して画像データを無条件に画像メモリコントローラ７Ａにて保存する。印字コア７６はページ印字のページを作成したり、スタンプ文字等、文字コードを取り出し印字を作成し、印字イメージデータを発生する装置である。ＲＯＭ７７、ＲＡＭ７８は印字制御に関与している。また、画像データ選択７Ｂは、前記７１〜７５の処理をした画像信号をスルーで画質コアに出力するか、画像メモリコントローラ７Ａからの画像データを画質コアに出力するか、画像処理された画像データに対してＭＳＵに７Ａからの画像を合成した画像データを画質コア７Ｂに出力するかを選択する。
【００４３】
図８を用いて、図７における画像メモリコントローラ７Ａと、画像メモリ８３の詳細を説明する。画像メモリコントローラ７Ａは、１次圧縮８１／伸長８２、１次画像データの保存メモリである画像メモリＤＲＡＭ８３、（バンクＡ８４、バンクＢ８５）、２次圧縮／伸長８６、大容量メモリであるＨＤＤ８７（ハードディスクドライブ）、伸長された登録画像の画像倍率を変更する変倍８８のブロックを有している。各ブロックへの制御データの設定はＣＰＵ６７より行われる。
【００４４】
画像メモリ７Ａは、１次および２次記憶装置（８３、８７）からなる。１次記憶装置８３は、メモリの指定した領域へのデータ書き込み、または画像出力時のメモリの指定した領域からのデータ読み出しが画像データの入力／出力時に要求されるデータ転送速度に略同期して行えるように、例えばＤＲＡＭ等の高速アクセスが可能なメモリを使用する。また、１次記憶装置８３は、処理を行う画像データの大きさにより複数のエリアに分割して（この例ではバンクＡ，Ｂ）画像データの入出力を同時に実行可能な構成（メモリコントローラとのインターフェース部）を有している。
【００４５】
２次記憶装置８７は、入力された画像の合成、ソーティングを行うためにデータを保存しておく大容量のメモリである。２次記憶装置８７に於いても、前記１次記憶装置８３と同様に、画像入出力時に要求されるデータ転送速度に略同期してデータの書き込み／読み出しが可能である。
【００４６】
次に、画像メモリコントローラ７Ａの動作例を説明する。
【００４７】
［１］画像入力（画像メモリへの保存）
図８により前段画像処理部により画像加工された画像データ８Ｖ１は無条件にＭＳＵ合成７９に供給され、既に画像メモリに保存されているデータとの合成を行う。ＭＳＵ合成７９によって処理された画像データは読み取り時に画像回転の指示がある場合は画像データを回転８０して保存するために、９０度、又は１８０度、２７０度と回転された画像データ８Ｖ２を、１次圧縮８１／伸長８２によりデータを圧縮し、圧縮後のデータを１次記憶装置８３に書き込むと同時に２次圧縮／伸長８６で更に圧縮を行った後にＨＤＤ８７に保存される。
【００４８】
［２］画像出力（画像メモリからの読み出し）
図９により画像出力時は、１次記憶装置８３に記憶されている画像データの読み出しを行う。出力対象となる画像が１次記憶装置８３に格納されている場合には、１次圧縮８１／伸長８２で１次記憶装置８３の画像データの伸長を行い、伸長後のデータ、もしくは伸長後のデータと入力データとの画像合成を行った後のデータを出力する。この際、変倍８８により伸長後の画像の倍率を変更可能としている。変倍した後の画像データに対して書き込み時に画像回転８０の指示がある場合は、画像データを９０度、１８０度、２７０度と画像回転し、ＭＳＵ合成７９は、１次記憶装置８３の画像データと、入力データ８Ｖ１との合成（画像データの位相調整機能を有する）合成後の画像データの、出力先の選択（画像出力、１次記憶装置８３へのライトバック、両方の出力先への同時出力も可能）等の処理を行う。出力対象となる画像が１次記憶装置８３に格納されていない場合には、ＨＤＤ８７に格納されている出力対象画像データを２次圧縮／伸長８６で伸長を行い、伸長後のデータを１次記憶装置８３に書き込んでから、以下、上述の画像出力動作を行う。
【００４９】
また、前記で説明した印字モードに於いて、任意のスタンプ用イメージはユーザーが必要に応じて登録できるように構成されている。スタンプイメージ登録モードになるとスキャナからの画像を上述のＨＤＤ８７に登録しておき、後で、ユーザーが必要なスタンプイメージを選択するとこのスタンプイメージデータがＨＤＤ８７から読み出されてＭＳＵ合成７９に送られて原稿画像に合成される。
【００５０】
本来、原稿画像１枚に対して画像形成枚数が１枚の場合は、あえて画像データを画像メモリに記憶する必要は無いが、要求する画像形成枚数が複数部の場合は、毎回スキャンする必要が無い事又は、転写紙ジャム等が発生した場合でも、再度原稿を読み込ませる必要が無い事を考慮して、スキャンして読み込んだ画像は無条件に画像メモリ及び、ＨＤＤに保存する様になっている。
【００５１】
本発明の一実施例を挙げながら説明する。図１０の１０１は既にメモりに保存されている登録フォーマット画像であり、１０２，１０３は見開き原稿であり、（１０４，１０５も同様）１０２は第一面画像、１０３は第二面画像である。１０４，１０５は同様に２枚目以降の見開き原稿である。
【００５２】
ＡＤＦに原稿をセットした際に、既に登録されている登録フォーマット画像と見開き原稿の第一面を画像合成する場合、図３の登録フォーマット合成キー３１０を押下する事により、図４（ｂ）の画面を表示する。また、見開き原稿から片面コピーで合成したい場合には、図３で原稿キー（３１２）を押下することにより表示する子画面（図４（ａ））で見開き原稿片面キー（４１１）を押下し、見開き原稿を両面コピーする場合は見開き原稿両面キー（４１２）を押下する。
【００５３】
図３で登録フォーマット合成キー（３１０）を押下した場合、図４（ｂ）で第１面を画像回転したい場合には、４２１を押下し、４２３のテンキーで画像回転角度を設定する事により、読み取った第一面原稿画像を画像回転する事が出来る。また、第二面原稿画像を画像回転させるには４２２の第二面画像回転キーを押下し、テンキー４２３にて画像回転角度を設定すれば良い。
【００５４】
４２４は画像回転角度を設定する際に確定する確定キーである。４２５は設定した画像回転角度を表示する表示部分である。見開き原稿の第一面及び第二面画像を画像回転するのは、登録されている登録フォーマット画像と画像位置が合致しない場合もあるためである。
【００５５】
見開き原稿１０２，１０３の場合は片面に合成してコピーする場合は登録フォーマット画像と第一面画像、第二面画像を合成した１０６、１０７の合成画像を得る事が出来る。同様に２枚目以降の原稿画像に関しても合成するため、同様に１０８と１０９の合成画像を得る事が出来る。上記の場合は第一面画像及び第二面画像に対して画像回転をさせないで合成した場合であり、第一面画像に対して９０度時計回りに画像回転させて合成した場合が１０１２であり、２枚目原稿の第一面に対して９０度時計回りに画像回転させて合成した場合が１０１３であり、第二面画像に対して１８０度時計回りに画像回転させて合成した場合が１０１４である。登録されている登録フォーマット画像と見開き原稿の第一面、第二面画像及び２枚目以降の見開き原稿画像と合成し、両面コピーを得る場合も同様に、第一面画像及び第二面画像を画像回転させ、両面コピーを得る事が出来る。両面コピーの場合は登録されているフォーマット画像と見開き原稿の第一面を合成した画像が第一面となり、登録されているフォーマット画像と見開き原稿の第二面を合成した画像が第二面となる（１０１０，１０１１）。もちろん、片面時と同様に画像回転する事も出来る。
【産業上の利用可能性】
【００５６】
見開き原稿から画像を作成する画像形成装置を構成して、該装置を搭載したコピー機、プリンタの開発が望まれる。
【図面の簡単な説明】
【００５７】
【図１】本発明の１実施例を示す画像形成装置の概略図である。
【図２】操作部の概略図である。
【図３】ＬＣＤ表示部の概略図である。
【図４】図３での原稿キー（３１２）を押下した場合の子画面（ａ）と、図３で登録フォーマット合成キー（３１０）を押下した場合の子画面（ｂ）である。
【図５】本実施形態の画像形成装置の概略ブロック図である。
【図６】ＩＰＵ（５２）の概略ブロック図である。
【図７】図６の画像処理部（６５）、ＭＳＵ（６６）との概略構成ブロック図である。
【図８】スキャナで読み込んだ画像データをメモリに格納する説明図である。
【図９】ＨＤＤから画像データを読み込み、メモリに保存し、伸張、変倍をして出力する説明図である。
【図１０】本実施形態に係る画像の重ね合わせを説明するための概略説明図である。
【符号の説明】
【００５８】
１０１    登録フォーマット画像
１０２〜１０５    見開き原稿
１０６〜１０１１    合成画像
１０１２〜１０１４    回転合成画像
【図１】
2005151420.tif 000003
【図２】
2005151420.tif 000004
【図３】
2005151420.tif 000005
【図４】
2005151420.tif 000006
【図５】
2005151420.tif 000007
【図６】
2005151420.tif 000008
【図７】
2005151420.tif 000009
【図８】
2005151420.tif 000010
【図９】
2005151420.tif 000011
【図１０】
2005151420.tif 000012